(57)【要約】【課題】受光手段と発光手段とを具備する画像読取手段を有する装置において、新たな部品を追加せずに、光学メディアの表裏を正確に識別することができる円形の光学メディアの表裏判定装置を提供することを目的とする。【解決手段】受光手段と発光手段とを具備する画像読取手段と、上記画像読取手段が円形の光学メディアを読み取った画像データの一定の領域に、一定の輝度を上回る画素データが一定数以上、存在することを検出する検出手段と、一定の輝度を上回る画素データが一定数以上、存在すると、上記読み取った画像データの画像は、上記円形の光学メディアの記録面の画像であると判断する判断手段とを有する円形の光学メディアの表裏判定装置である。【選択図】図１０
2009271989.tif 000002
【特許請求の範囲】
【請求項１】
受光手段と発光手段とを具備する画像読取手段が設けられている円形の光学メディアの表裏判定装置の制御方法において、
上記画像読取手段が円形の光学メディアを読み取った画像データの一定の領域に、一定の輝度を上回る画素データが一定数以上、存在することを検出する検出工程と；
一定の輝度を上回る画素データが一定数以上、存在すると、上記読み取った画像データの画像は、上記円形の光学メディアの記録面の画像であると判断する判断工程と；
を有することを特徴とする円形の光学メディアの表裏判定装置の制御方法。
【請求項２】
受光手段と発光手段とを具備する画像読取手段と；
上記画像読取手段が円形の光学メディアを読み取った画像データの一定の領域に、一定の輝度を上回る画素データが一定数以上、存在することを検出する検出手段と；
一定の輝度を上回る画素データが一定数以上、存在すると、上記読み取った画像データの画像は、上記円形の光学メディアの記録面の画像であると判断する判断手段と；
を有することを特徴とする円形の光学メディアの表裏判定装置。
【請求項３】
受光手段と発光手段とを具備する画像読取手段と；
上記画像読取手段が円形の光学メディアを読み取った画像データの一定の領域に、一定の輝度を下回る画素データが、一定数以上、存在することを検出する検出手段と；
一定の輝度を下回る画素データが一定数以上、存在すると、上記読み取った画像データの画像は、上記円形の光学メディアの記録面の画像であると判断する判断手段と；
を有することを特徴とする円形の光学メディアの表裏判定装置。
【請求項４】
受光手段と発光手段とを具備する画像読取手段と；
上記画像読取手段が円形の光学メディアを読み取った画像データの一定の領域に、一定の輝度を上回る画素データが一定数以上、存在することを検出する第１の検出手段と；
上記画像読取手段が円形の光学メディアを読み取った画像データの一定の領域に、一定の輝度を下回る画素データが一定数以上、存在することを検出する第２の検出手段と；
上記第１の検出手段が、上記一定の輝度を上回る画素データが一定数以上、存在することを検出し、しかも、第２の検出手段が、上記一定の輝度を下回る画素データが一定数以上、存在することを検出すると、上記読み取った画像データの画像は、上記円形の光学メディアの記録面の画像であると判断する判断手段と；
を有することを特徴とする円形の光学メディアの表裏判定装置。
【請求項５】
画像読取手段と画像印刷手段とを具備する複合機において、
円形の光学メディアのラベル面を、コピーするコピー手段と；
原稿である光学メディアが、その表裏を誤ってセットされていることを判別する誤り判別手段と；
原稿である光学メディアが、その表裏を誤ってセットされていると、ユーザの注意を喚起する注意喚起手段と；
を有することを特徴とする複合機。
【請求項６】
画像読取手段と画像印刷手段とを具備する複合機において、
円形の光学メディアのラベル面を、コピーするコピー手段と；
原稿となる光学メディアが、その表裏を誤ってセットされていることを判別する誤り判別手段と；
原稿である光学メディアが、その表裏を誤ってセットされていると、コピー動作を阻止するコピー動作阻止手段と；
を有することを特徴とする複合機。
【請求項７】
画像読取手段と画像印刷手段とを具備する複合機において、
円形の光学メディアのラベル面にコピーするコピー手段と；
印刷媒体である光学メディアが、その表裏を誤ってセットされていることを判別する誤り判別手段と；
印刷媒体である光学メディアが、その表裏を誤ってセットされていると、コピー動作を阻止するコピー動作阻止手段と；
を有することを特徴とする複合機。
【請求項８】
受光手段と発光手段とを具備する画像読取手段と；
上記画像読取手段が円形の光学メディアを読み取った画像データの一定の領域に、一定の輝度を上回る画素データが一定数以上、存在することを検出する検出手段と；
一定の輝度を上回る画素データが一定数以上、存在すると、上記読み取った画像データの画像は、上記円形の光学メディアの記録面の画像であると判断する判断手段と；
を有することを特徴とする画像読取装置。
【請求項９】
受光手段と発光手段とを具備する画像読取手段と；
上記画像読取手段が円形の光学メディアを読み取った画像データの一定の領域に、一定の輝度を下回る画素データが、一定数以上、存在することを検出する検出手段と；
一定の輝度を下回る画素データが一定数以上、存在すると、上記読み取った画像データの画像は、上記円形の光学メディアの記録面の画像であると判断する判断手段と；
を有することを特徴とする画像読取装置。
【請求項１０】
受光手段と発光手段とを具備する画像読取手段と；
上記画像読取手段が円形の光学メディアを読み取った画像データの一定の領域に、一定の輝度を上回る画素データが一定数以上、存在することを検出する検出手段と；
一定の輝度を上回る画素データが一定数以上、存在すると、上記読み取った画像データの画像は、上記円形の光学メディアの記録面の画像であると判断する判断手段と；
を有することを特徴とする印刷装置。
【請求項１１】
受光手段と発光手段とを具備する画像読取手段と；
上記画像読取手段が円形の光学メディアを読み取った画像データの一定の領域に、一定の輝度を下回る画素データが、一定数以上、存在することを検出する検出手段と；
一定の輝度を下回る画素データが一定数以上、存在すると、上記読み取った画像データの画像は、上記円形の光学メディアの記録面の画像であると判断する判断手段と；
を有することを特徴とする印刷装置。
【請求項１２】
受光手段と発光手段とを具備する画像読取手段と；
上記画像読取手段が円形の光学メディアを読み取った画像データの一定の領域に、一定の輝度を上回る画素データが一定数以上、存在することを検出する検出手段と；
一定の輝度を上回る画素データが一定数以上、存在すると、上記読み取った画像データの画像は、上記円形の光学メディアの記録面の画像であると判断する判断手段と；
を有することを特徴とする複写装置。
【請求項１３】
受光手段と発光手段とを具備する画像読取手段と；
上記画像読取手段が円形の光学メディアを読み取った画像データの一定の領域に、一定の輝度を下回る画素データが、一定数以上、存在することを検出する検出手段と；
一定の輝度を下回る画素データが一定数以上、存在すると、上記読み取った画像データの画像は、上記円形の光学メディアの記録面の画像であると判断する判断手段と；
を有することを特徴とする複写装置。
【発明の詳細な説明】
【技術分野】
【０００１】
本発明は、受光手段と発光手段とを具備する画像読取手段が設けられている装置における、円形の光学メディアの表裏判定装置と、それを応用した画像複写手段とに関する。
【背景技術】
【０００２】
ＣＤＲ、ＤＶＤ等に代表される円形の光学メディアは、表側の面と裏側の面とによって構成されている。
【０００３】
表側の面は、ラベル面であり、一般的にラベルを印刷する目的で使用され、上記光学メディアに収められている内容を示した文字、画像等が印刷されている。一方、裏側の面は、記録面であり、情報そのものを格納するために使用されている（たとえば、特許文献１参照）。
【特許文献１】特開２００７−１４１３２１号公報
【発明の開示】
【発明が解決しようとする課題】
【０００４】
円形の光学メディアの裏側の面、すなわち記録面を、受光手段と発光手段とを有する画像読取手段で読み取った場合、画像には数々の特徴がある。
【０００５】
ところで、ラベル面に、バーコードを印刷し、このバーコードのパターンを読み取り、専用の測定手段が、記録面側とラベル面側とのポリカーボネイト樹脂層の厚みの違いを識別し、表裏の判定を行うことが知られている。
【０００６】
上記従来例では、ラベル面にバーコードを印刷することによって、全光学メディアを識別するためには、ラベル面にバーコードを印刷することを規格化する必要があるという問題がある。
【０００７】
また、専用の測定手段が、ポリカーボネイト樹脂層の厚みを識別する従来例では、上記専用の測定手段が高価であるという問題がある。
【０００８】
本発明は、受光手段と発光手段とを具備する画像読取手段を有する装置において、新たな部品を追加せずに、光学メディアの表裏を正確に識別することができる円形の光学メディアの表裏判定装置を提供することを目的とする。
【課題を解決するための手段】
【０００９】
本発明は、受光手段と発光手段とを具備する画像読取手段と、上記画像読取手段が円形の光学メディアを読み取った画像データの一定の領域に、一定の輝度を上回る画素データが一定数以上、存在することを検出する検出手段と、一定の輝度を上回る画素データが一定数以上、存在すると、上記読み取った画像データの画像は、上記円形の光学メディアの記録面の画像であると判断する判断手段とを有する円形の光学メディアの表裏判定装置である。
【発明の効果】
【００１０】
本発明によれば、受光手段と発光手段とを具備する画像読取手段を有する装置において、新たな部品を追加せずに、光学メディアの表裏を正確に識別することができるという効果を奏する。
【発明を実施するための最良の形態】
【００１１】
発明を実施するための最良の形態は、次の実施例である。
【実施例１】
【００１２】
本発明の実施例１は、受光手段と発光手段とを具備する画像読取手段が設けられている円形の光学メディアの表裏判定装置である。
【００１３】
図１は、光学メディア１を示す図である。
【００１４】
図１（１）は、光学メディア１の平面図である。
【００１５】
光学メディア１は、情報データ記録面２と、ドライブ側がディスクを保持するための穴３とを有する。
【００１６】
図１（２）は、光学メディア１において、半径方向に伸びる領域２１を拡大して示す断面図である。
【００１７】
基板２２は、ポリカーボネイト樹脂等から成るディスクの基板である。
【００１８】
記録膜層２３は、アルミニウム等で構成されている記録膜層である。記録膜層２３は、平面部分のランドと突起部分のピットとを有し、上記ピットは、列を形作り、渦巻状の列になり、トラックを形成している。トラックによる凹凸は、ディスクを半径方向に切断した場合、図１（２）に示すような波状になっている。
【００１９】
図２は、画像読取手段３０から出た光Ｂ１が記録膜層２３で反射し、受光手段３２に到達する状態を示す図である。
【００２０】
発光手段３１は、ＬＥＤやＣＣＦＬで構成され、発光手段３１から発せられた光Ｂ１は、トラックの立体形状部分（記録膜層２３）で全反射し、反射光Ｂ２になり、受光手段３２に到達する。受光手段３２は、ＣＣＤやＣＩＳで構成されている。
【００２１】
図３は、光学メディア１を示す図である。
【００２２】
図３（１）は、光学メディア１の平面図である。図３（２）は、光学メディア１において、円周方向に伸びる領域２６を拡大して示す断面図である。
【００２３】
円周方向に伸びる領域２６は、基板２７と記録膜層２８とを有する。
【００２４】
図３（２）に示す断面図において、記録膜層２８には、トラックの凹凸が現れず、平面形状である。
【００２５】
図４は、画像読取手段３０から出た光Ｂ３が記録膜層２８で反射し、受光手段３２に到達する状態を示す図である。
【００２６】
発光手段３１から発せられた光Ｂ３は、平面形状のトラックに反射して、反射光Ｂ４になり、受光手段３２には届かない。
【００２７】
図５は、光学メディア１のラベル面１Ｌを、画像読取手段３０が、読み取ろうとした場合に、光の経路を示す図である。
【００２８】
プリントラベル面１Ｌが、鏡面ではなく、何らかの文字や画像が記載されている場合、発光手段３１で発生した光Ｂ５は、プリントラベル面１Ｌで反射し、拡散光Ｂ６になり、その一部の光だけが、受光手段３２に届く。
【００２９】
すなわち、図５に示すように、一般的な反射原稿の画像読み取り時に比べて、図２に示すケースでは、受光手段３２に届く光が極端に明るく、図４に示すケースでは、受光手段３２に届く光は極端に暗い。
【００３０】
図２に示すケースでは、純白の反射原稿（一般的に白基準と呼ばれる）をスキャンした場合よりも、さらに明るいので、白基準補正を行っている画像読取装置においては、受光手段３２への入力値が、白に張り付く。純白の反射原稿でも、発生の可能性は低く、立体形状のトラックに光が反射し、上記のように、受光手段３２への入力値が、全て白に張り付く場合は、特有の現象であるので、光学メディア１の裏面（記録面）を特定する根拠としては、充分である。
【００３１】
図４に示すケースでは、光がない状態（一般的に黒基準と呼ばれる）をスキャンした場合と同じ暗さになるので、黒基準補正を行っている画像読取装置において、受光手段３２への入力値が、ほぼ黒に張り付く。図４に示すケースは、発光手段３１を消灯して取得する黒基準値とは異なり、微妙にカーブ形状を描くトラックからの反射光の影響によって、微妙に明るくなることが考えられる。しかし、このように暗い入力値は、平面形状のトラックに光が反射した場合における特有の現象である。光学メディア１の裏面（記録面）を特定する根拠としては、充分である。
【００３２】
図６は、本発明の実施例１において、発光手段３１にＣＣＦＬと拡散板とを採用した場合に、実画像を示す図である。
【００３３】
発光手段３１に、ＣＣＦＬと拡散板とを使用している。実画像４８において、図２で説明したように、光学メディア１の半径方向の断面と画像読取手段３０の副走査方向とが平行であるエリア４６では、画像は非常に明るい。
【００３４】
一方、図４で説明したように、光学メディア１の円周方向の断面と平行するエリア４７では、画像は非常に暗くなる。
【００３５】
図７は、エリア４７のヒストグラムを簡単に示すグラフである。
【００３６】
暗黒側に張り付いている画素数が非常に多い。
【００３７】
図８は、エリア４６のヒストグラムを簡単に示したグラフである。
【００３８】
エリア４６のヒストグラムにおいて、白基準側に張り付いている画素数が非常に多い。
【００３９】
図９は、円形の光学メディア１の裏面（記録面）の画像を画像読取手段３０で読み取るときの副走査方向と、エリア４６、エリア４７との位置関係を示す図である。
【００４０】
一定の輝度を超える画素データ検知対象領域エリア４６として、光学メディア１の全域を設定するようにしてもよい。
【００４１】
しかし、画像読取手段３０の副走査方向に向かって、光学メディア１の中心起点での適切な距離５５以上で、距離５６以下の間に存在する適切な幅５４の領域を、一定の輝度を超える画素データ検知対象領域エリア４６として設定することが望ましい。幅５４、距離５５、５６を調整することによって、光学メディア１と画像読取手段３０とのメカ的、電気的なデバイス公差を鑑みながら、充分な検知性能を実現しつつ、判定対象の画素数を減らし、処理負荷を減らすことができる。
【００４２】
一定の輝度を下回る画素データ検知対象領域エリア４７として、画像読取手段３０の副走査方向と直交する方向に向かって、光学メディア１の中心起点での適切な距離５２以上で、距離５３以下の間に存在する適切な幅５１を設定する。幅５１、距離５２、５３を調整することによって、光学メディア１と画像読取手段３０とのメカ的、電気的なデバイス公差を鑑みながら、充分な検知性能を実現しつつ、判定対象の画素数を減らし、処理負荷を減らすことができる。
【００４３】
図１０は、実施例１において、光学メディア１の表裏を判定する動作を示すフローチャートである。
【００４４】
Ｓ１で、処理が開始されると、Ｓ２で、エリア４６の画像データのヒストグラムを解析し、Ｓ３で、最大の輝度に張り付いている画素が、一定の割合Ｘ％以上、存在するかどうかを判定する。上記Ｘ％は、適用するシステムの公差を鑑みた適切な値を採用することが望ましい。
【００４５】
最大の輝度に張り付いている画素の数が、Ｘ％未満である場合、Ｓ７で、画像データは表側の面である（ラベル面１Ｌである）と判定し、Ｓ８で、処理を終了する。
【００４６】
最大の輝度に張り付いている画素が、Ｘ％以上存在する場合、Ｓ４で、エリア４７のヒストグラムを解析し、Ｓ５で、最小の輝度に張り付いている画素が一定の割合Ｙ％以上存在するかどうかを判定する。上記Ｙ％は、適用するシステムの公差を鑑みた適切な値を採用することが望ましい。
【００４７】
最小の輝度に張り付いている画素がＹ％未満であれば、Ｓ７で、画像データは、表側の面（ラベル面１Ｌ）のデータであると判定し、Ｓ８で、処理を終了する。最小の輝度に張り付いている画素がＹ％以上存在すれば、Ｓ６で、画像データは、裏側の面（記録面）のデータであると判定し、Ｓ８で、処理を終了することができる。
【００４８】
なお、受光手段３２の後段に、画像読取手段が円形の光学メディアを読み取った画像データの一定の領域に、一定の輝度を上回る画素データが一定数以上、存在することを検出する検出手段が設けられている。
【００４９】
また、上記検出手段の後段に、一定の輝度を上回る画素データが一定数以上、存在すると、上記読み取った画像データの画像は、上記円形の光学メディアの記録面の画像であると判断する判断手段が設けられている。
【００５０】
さらに、受光手段３２の後段に、上記画像読取手段が円形の光学メディアを読み取った画像データの一定の領域に、一定の輝度を下回る画素データが、一定数以上、存在することを検出する検出手段が設けられている。
【００５１】
しかも、上記検出手段の後段に、一定の輝度を下回る画素データが一定数以上、存在すると、上記読み取った画像データの画像は、上記円形の光学メディアの記録面の画像であると判断する判断手段が設けられている。
【００５２】
また、上記実施例の変形例として、上記画像読取手段が円形の光学メディアを読み取った画像データの一定の領域に、一定の輝度を上回る画素データが一定数以上、存在することを検出する第１の検出手段を設けるようにしてもよい。さらに、上記画像読取手段が円形の光学メディアを読み取った画像データの一定の領域に、一定の輝度を下回る画素データが、一定数以上、存在することを検出する第２の検出手段を設けるようにしてもよい。そして、上記第１の検出手段が、上記存在を検出し、しかも、上記第２の検出手段が、上記存在を検出すると、上記読み取った画像データの画像は、上記円形の光学メディアの記録面の画像であると判断する判断手段を設けるようにしてもよい。
【実施例２】
【００５３】
図１１は、本発明の実施例２である光学メディアの表裏判定装置を具備している複合機２００の外観を示す図である。
【００５４】
光学メディア１の表裏判定装置（図示せず）は、画像読取手段５７と、トレイガイドユニット５８と、給紙トレイ５９を有す。
【００５５】
画像読取手段５７は、原稿となる光学メディアのラベル面１Ｌを読み取る。
【００５６】
トレイガイドユニット５８は、印刷媒体となる光学メディア１をセットするためのトレイガイドユニットである。
【００５７】
図１２は、光学メディア１の印刷用トレイ６１を示す斜視図である。
【００５８】
図１３は、印刷媒体となる光学メディア１を、印刷用トレイ６１に載置している状態を示す斜視図である。
【００５９】
図１４は、トレイガイドユニット５８を示す斜視図である。
【００６０】
トレイガイドユニット５８は、複合機２００の前面から、印刷用トレイ６１を挿入するための構成物である。
【００６１】
図１５は、トレイガイドユニット５８と、その周辺とを上から見た図である。
【００６２】
センサ６２は、印刷媒体となる光学メディア１の位置出し用のセンサである。センサ６２は、後述する印刷ヘッド７２とともに動き、これによって、印刷用トレイ６１毎に、印刷媒体となる光学メディア１の位置出しを行う。
【００６３】
図１６は、複合機２００の透視断面図である。
【００６４】
複合機２００は、印刷ヘッド７２と、給紙ローラ７３と、給紙トレイ５９と、操作パネル７５と、排紙トレイ７６と、搬送ローラ７７とを有する。
【００６５】
複合機２００では、原稿となる光学メディア１を、画像読取手段５７にセットし、ユーザが、操作パネル７５を介して、動作トリガをかけることによって、原稿となる光学メディア１の表面を読み取る。読み込んだ画像を、印刷用トレイ６１上の印刷媒体となる光学メディア１に、印刷ヘッド７２が印刷する。印刷用トレイ６１は、トレイガイドユニット５８でサポートされつつ、搬送ローラ７７によって、複合機２００の内部に引き込まれる。この際、通常の紙媒体を給紙するための給紙トレイ５９、排紙するための排紙トレイ７６は、機能を停止した状態になる。
【００６６】
図１７は、光学メディア１の表裏判定装置を具備している複合機２００の処理を示すフローチャートである。
【００６７】
Ｓ１１で、ＣＤＲラベルコピー手段が発動すると、画像読取手段５７によって、Ｓ１２で、原稿となるＣＤＲをスキャンする。ここで得た画像について、実施例１で説明した光学メディア１の表裏判定処理を行い、表側の面の画像でないと判断すると、Ｓ１７で、ラベルコピーを行わずに、Ｓ１８で、処理を終了する。
【００６８】
Ｓ１３で表側の面の画像であると判断すると、Ｓ１４で、印刷対象となるＣＤＲを給紙した後に、光学メディア１の位置出し用のセンサ６２が、上記ＣＤＲ表面をスキャンする。
【００６９】
一般に、センサ６２は、画像読取手段５７とは異なり、画像データの取得性能としては低いセンサが採用される傾向にある。しかし、実施例２では、実施例１で説明した光学メディア１の表裏判定処理を行うことを可能にする部品選定を行うことを想定している。したがって、Ｓ１５で、印刷対象となるＣＤＲに対して、実施例１で説明した光学メディア１の表裏判定処理を行うことができる。ここで、上記印刷対象となるＣＤＲが裏側の面を上にセットされていると判断されると、Ｓ１７で、ラベルコピーを行わずに、Ｓ１８で、処理を終了する。
【００７０】
表側の面を上にセットされていることが判明した場合、Ｓ１６でラベルコピーを行う。
【００７１】
上記実施例によれば、受光手段と発光手段とを具備する画像読取手段３０を有する装置において、新たな部品を追加せずに、光学メディア１の表裏を正確に識別することができる。
【００７２】
また、上記実施例によれば、ユーザが印刷用の光学メディア１の裏側の面（記録面）に、複合機２００が誤ってコピー印刷することを阻止することができる。
【００７３】
複合機２００は、画像読取手段と画像印刷手段とを具備し、円形の光学メディアのラベル面を、コピーするコピー手段と、原稿である光学メディアが、その表裏を誤ってセットされていることを判別する誤り判別手段とを有する。また、複合機２００は、原稿である光学メディアが、その表裏を誤ってセットされていると、ユーザの注意を喚起する注意喚起手段を有する。
【００７４】
さらに、複合機２００は、円形の光学メディアのラベル面を、コピーするコピー手段と、原稿となる光学メディアが、その表裏を誤ってセットされていることを判別する誤り判別手段とを有する。また、原稿である光学メディアが、その表裏を誤ってセットされていると、コピー動作を阻止するコピー操作阻止手段を有する。
【００７５】
そして、複合機２００は、円形の光学メディアのラベル面にコピーするコピー手段と、印刷媒体である光学メディアが、その表裏を誤ってセットされていることを判別する誤り判別手段とを有する。また、複合機２００は、印刷媒体である光学メディアが、その表裏を誤ってセットされていると、コピー動作を阻止するコピー動作阻止手段を有する。
【００７６】
上記実施例を、画像読取装置として把握することもできる。つまり、上記実施例は、画像読取手段が円形の光学メディアを読み取った画像データの一定の領域に、一定の輝度を上回る画素データが一定数以上、存在することを検出する検出手段を有する。また、上記実施例は、一定の輝度を上回る画素データが一定数以上、存在すると、上記読み取った画像データの画像は、上記円形の光学メディアの記録面の画像であると判断する判断手段を有する画像読取装置である。
【００７７】
逆に、上記実施例が、上記画像読取手段が円形の光学メディアを読み取った画像データの一定の領域に、一定の輝度を下回る画素データが、一定数以上、存在することを検出する検出手段を有する。また、上記実施例は、一定の輝度を下回る画素データが一定数以上、存在すると、上記読み取った画像データの画像は、上記円形の光学メディアの記録面の画像であると判断する判断手段を有する画像読取装置である。
【００７８】
また、上記実施例を印刷装置として把握することができる。つまり、上記実施例は、上記実施例は、上記画像読取手段が円形の光学メディアを読み取った画像データの一定の領域に、一定の輝度を上回る画素データが一定数以上、存在することを検出する検出手段を有する。そして、上記実施例は、一定の輝度を上回る画素データが一定数以上、存在すると、上記読み取った画像データの画像は、上記円形の光学メディアの記録面の画像であると判断する判断手段を有する印刷装置である。
【００７９】
そして、上記実施例は、上記画像読取手段が円形の光学メディアを読み取った画像データの一定の領域に、一定の輝度を下回る画素データが、一定数以上、存在することを検出する検出手段を有する。そして、上記実施例は、一定の輝度を下回る画素データが一定数以上、存在すると、上記読み取った画像データの画像は、円形の光学メディアの記録面の画像であると判断する判断手段を有する印刷装置である。
【００８０】
また、上記実施例を複写装置として把握することができる。つまり、上記実施例は、上記画像読取手段が円形の光学メディアを読み取った画像データの一定の領域に、一定の輝度を上回る画素データが一定数以上、存在することを検出する検出手段を有する。そして、上記実施例は、一定の輝度を上回る画素データが一定数以上、存在すると、上記読み取った画像データの画像は、上記円形の光学メディアの記録面の画像であると判断する判断手段を有する複写装置である。
【００８１】
そして、上記実施例は、上記画像読取手段が円形の光学メディアを読み取った画像データの一定の領域に、一定の輝度を下回る画素データが、一定数以上、存在することを検出する検出手段を有する。また、上記実施例は、一定の輝度を下回る画素データが一定数以上、存在すると、上記読み取った画像データの画像は、上記円形の光学メディアの記録面の画像であると判断する判断手段を有する複写装置である。
【００８２】
なお、上記手段を工程として把握すれば、上記実施例を、円形の光学メディアの表裏判定装置の制御方法の発明として捉えることができる。
【産業上の利用可能性】
【００８３】
受光手段と発光手段とを具備する画像読取手段３０を有し、上記画像読取手段が円形の光学メディア１をスキャンすることができる系であれば、複合機に限らず、他の分野に、上記実施例を応用することができる。
【図面の簡単な説明】
【００８４】
【図１】光学メディア１を示す図である。
【図２】画像読取手段３０から出た光Ｂ１が記録膜層２３で反射し、受光手段３２に到達する状態を示す図である。
【図３】光学メディア１を示す図である。
【図４】画像読取手段３０から出た光Ｂ３が記録膜層２８で反射し、受光手段３２に到達する状態を示す図である。
【図５】光学メディア１のラベル面１Ｌを、画像読取手段３０が、読み取ろうとした場合に、光の経路を示す図である。
【図６】本発明の実施例１において、発光手段３１にＣＣＦＬと拡散板とを採用した場合に、実画像を示す図である。
【図７】エリア４７のヒストグラムを簡単に示すグラフである。
【図８】エリア４６のヒストグラムを簡単に示したグラフである。
【図９】円形の光学メディア１の裏面（記録面）の画像を画像読取手段３０で読み取るときの副走査方向と、エリア４６、エリア４７との位置関係を示す図である。
【図１０】実施例１において、光学メディア１の表裏を判定する動作を示すフローチャートである。
【図１１】本発明の実施例２である光学メディアの表裏判定装置を具備している複合機２００の外観を示す図である。
【図１２】光学メディア１の印刷用トレイ６１を示す斜視図である。
【図１３】印刷媒体となる光学メディア１を、印刷用トレイ６１に載置している状態を示す斜視図である。
【図１４】トレイガイドユニット５８を示す斜視図である。
【図１５】トレイガイドユニット５８と、その周辺とを上から見た図である。
【図１６】複合機２００の透視断面図である。
【図１７】光学メディア１の表裏判定装置を具備している複合機２００の処理を示すフローチャートである。
【符号の説明】
【００８５】
１…光学メディア、
２…情報データ記録面、
３…穴、
２１…半径方向に伸びる領域、
２２…基板、
２３…記録膜層、
３０…画像読取手段、
３１…発光手段、
３２…受光手段、
５７…画像読取手段、
５８…トレイガイドユニット、
６１…印刷用トレイ、
６２…センサ、
７２…印刷ヘッド。
【図１】
2009271989.tif 000003
【図２】
2009271989.tif 000004
【図３】
2009271989.tif 000005
【図４】
2009271989.tif 000006
【図５】
2009271989.tif 000007
【図６】
2009271989.tif 000008
【図７】
2009271989.tif 000009
【図８】
2009271989.tif 000010
【図９】
2009271989.tif 000011
【図１０】
2009271989.tif 000012
【図１１】
2009271989.tif 000013
【図１２】
2009271989.tif 000014
【図１３】
2009271989.tif 000015
【図１４】
2009271989.tif 000016
【図１５】
2009271989.tif 000017
【図１６】
2009271989.tif 000018
【図１７】
2009271989.tif 000019